(57)【要約】  大型化されて高さが高くなり電気品の位置も高くなった室外機に付け替える場合に、これまで使用していた室内機側からの電気配線を使用可能にして据付作業性を向上できる空気調和機の提供を目的として、室外機１００の一方の側面の下部に設けられ、室内機側から延びる接続配管１３が接続されるバルブ１２と、側面でバルブ１２よりも上方に設けられ、室内機側から延びる電気配線１５が接続される端子台ユニット１４と、側面に取り付けられ、バルブ１２と端子台ユニット１４を覆う側面カバー１７と、を備え、側面カバー１７が、下部に接続配管１３が通る接続配管用開口２３を有すると共に、接続配管用開口２３よりも上方に、電気配線１５が通る電気配線用開口２４を有する。
2016203542.tif 000002
【特許請求の範囲】
【請求項１】
空気調和機の室外機であって、
当該室外機の一方の側面の下部に設けられ、室内機側から延びる接続配管が接続されるバルブと、
前記側面で前記バルブよりも上方に設けられ、前記室内機側から延びる電気配線が接続される端子台ユニットと、
前記側面に取り付けられ、前記バルブと前記端子台ユニットを覆う側面カバーと、を備え、
前記側面カバーが、下部に前記接続配管が通る接続配管用開口を有すると共に、前記接続配管用開口よりも上方に、前記電気配線が通る電気配線用開口を有する空気調和機の室外機。
【請求項２】
前記電気配線用開口は、前記接続配管用開口よりも上方、且つ前記端子台ユニットよりも下方となる位置に設けられている請求項１記載の空気調和機の室外機。
【請求項３】
前記接続配管用開口と前記電気配線用開口が、前記側面カバーの同じ面に形成されている請求項１または２記載の空気調和機の室外機。
【請求項４】
前記接続配管用開口と前記電気配線用開口が形成されている面が、前記側面カバーの背面である請求項３記載の空気調和機の室外機。
【請求項５】
前記側面カバーの内側で、前記端子台ユニットを覆う金属製のカバーを備えた請求項１〜４のいずれか１項に記載の空気調和機の室外機。
【請求項６】
前記側面カバーの前記電気配線用開口を覆って固定される電気配線用開口カバーを備え、前記電気配線用開口カバーを取り外すことで前記電気配線用開口が形成される請求項１〜５のいずれか１項に記載の空気調和機の室外機。
【請求項７】
前記側面カバーは、前記バルブと前記端子台ユニットを覆うように前記側面と向き合う側が開放された形状であって、前記電気配線用開口が設けられる位置に、前記側面と接する縁を外周の一部とする開口形成部を有し、前記開口形成部が切断されることで前記一部が開放されて、前記電気配線用開口が形成される請求項１〜５のいずれか１項に記載の空気調和機の室外機。
【請求項８】
前記開口形成部は、少なくとも前記一部を除く外周に、前記側面カバーの他の部分よりも薄肉な薄肉部が形成され、前記薄肉部が切断されることで前記電気配線用開口が形成される請求項７記載の空気調和機の室外機。
【請求項９】
前記開口形成部は、前記一部を除く外周に、前記側面カバーと接続される接続部と前記側面カバーと接続されていない非接続部とが形成され、前記接続部が切断されることで前記電気配線用開口が形成される請求項７または８記載の空気調和機の室外機。
【請求項１０】
前記非接続部は、前記縁から離れた前記外周で、前記側面カバーを切り欠いた切り欠きであり、前記縁と前記切り欠きとの間の前記接続部が切断されることで前記電気配線用開口が形成される請求項９記載の空気調和機の室外機。
【発明の詳細な説明】
【技術分野】
【０００１】
この発明は、空気調和機の室外機に関し、詳しくは、室内機側から延びる接続配管及び電気配線が接続される側面に関するものである。
【背景技術】
【０００２】
空気調和機の室外機は、筐体の底面部を構成する底板上に直立する仕切り板によって、筐体内部を左右方向に、送風ファンや熱交換器が位置する送風機室と、圧縮機や冷媒配管が位置する機械室とに区切られている。そして、主としてその機械室の上部に、空気調和機を運転制御するための電気電子部品を収める電気品ユニットが配置されている。【０００３】
電気品ユニットに近い機械室側の側面上部には、固定板と、この固定板に固定される端子台が設けられている。室内機側から延びる電気配線が、端子台が有する複数の端子に接続されることで、室内機側からの電源及び電気信号が、端子台を介して室外機側の電気品ユニットと接続される。【０００４】
また、機械室側の側面下部には、接続配管用のバルブが設けられている。室内機側から延びる接続配管がこれらバルブに接続されることで、室外機が有する圧縮機及び熱交換器、室内機に収納される熱交換器などを含む冷媒回路が形成される。【０００５】
機械室側の側面は、上部に端子台用の開口、下部にバルブ用の切り欠きが形成された側面パネルで覆われている。そして、当該室外機の設置時に、上部開口から見える端子台に室内機側から延びる電気配線が接続され、下部切り欠きから見えるバルブに室内機側から延びる接続配管が接続された後、側面カバーが端子台とバルブを覆うように側面パネルに固定される。【０００６】
側面カバーには、室外機の背面側、即ち室外機を設置する建物の外壁に対向する背面で、且つ底板に近い下部に、室内機側から延びる電気配線及び接続配管が通る下部開口が形成されている。室内の上方に設置された室内機から延びる電気配線及び接続配管は、建物の外壁面を下方に伝って（あるいは建物の壁の内部を通って）、側面カバーの下部開口を経て、電気配線は側面上部の端子台に接続され、接続配管は側面下部のバルブに接続される。（例えば、特許文献１参照。）
【先行技術文献】
【特許文献】
【０００７】
【特許文献１】特開２０１２−１１２６３０号公報（図２、図５参照）
【発明の概要】
【発明が解決しようとする課題】
【０００８】
空気調和機は省エネルギー化が求められており、高効率化を図るために室外熱交換器の大きさは大型化される傾向にある。これに伴い室外機のサイズが大きくなり、その高さも高くなっている。【０００９】
従来の室外機では、室内機側からの電気配線は、室内機側からの接続配管と一緒に、側面カバーの下部に設けられた下部開口から側面カバー内に取り回され、室外機の側面上部に配置される端子台に接続される。【００１０】
使用者が高効率化で大型化された室外機に買い替える場合、室外機の高さが高くなった分、電気品ユニットに対応する端子台の位置も高くなってしまう。即ち、側面カバーの下部開口と端子台との距離が長くなり、これまで使用していた既設の電気配線をそのまま利用しようとした場合、下部開口を通った電気配線は側面上部の端子台まで届かないことになる。届かない場合には、これまでより長い電気配線を新たに室内機側から延ばすという作業が必要となり、据付作業は煩雑になる。特に電気配線が接続配管と共に建物の壁内に埋め込まれているような場合、据付作業性が悪化するという問題点があった。【００１１】
この発明は、上記のような課題を解決するためになされたもので、既設の電気配線を利用することが可能な据付作業性に優れた空気調和機の室外機を提供することを目的とする。
【課題を解決するための手段】
【００１２】
この発明における空気調和機の室外機は、空気調和機の室外機であって、
当該室外機の一方の側面の下部に設けられ、室内機側から延びる接続配管が接続されるバルブと、
前記側面で前記バルブよりも上方に設けられ、前記室内機側から延びる電気配線が接続される端子台ユニットと、
前記側面に取り付けられ、前記バルブと前記端子台ユニットを覆う側面カバーと、を備え、
前記側面カバーが、下部に前記接続配管が通る接続配管用開口を有すると共に、前記接続配管用開口よりも上方に、前記電気配線が通る電気配線用開口を有するものである。
【発明の効果】
【００１３】
この発明によれば、既設の電気配線の利用が可能で、据付作業性に優れた空気調和機の室外機を得ることができる。
【図面の簡単な説明】
【００１４】
【図１】発明の実施の形態１に係る空気調和機の室外機を示す分解斜視図である。
【図２】実施の形態１に係る空気調和機の室外機を示す一部分解斜視図である。
【図３】実施の形態１に係る側面パネルを示す斜視図である。
【図４】実施の形態１に係る端子台ユニットを拡大して示す説明図である。
【図５】実施の形態１に係る室外機を示す側面図であり、側面カバーを取り外して示す。
【図６】実施の形態１に係る側面カバーを示す斜視図である。
【図７】実施の形態１に係る室外機を示す側面図であり、側面カバーを固定して示す。
【図８】実施の形態１に係る室外機の側面を背面側後方から部分的に示す斜視図である。
【図９】実施の形態１に係る室外機の側面の別の構成例を示す一部分解斜視図である。
【図１０】この発明の実施の形態２に係る室外機の側面カバーを示す斜視図であり、電気配線用開口カバーを分解して示す。
【図１１】実施の形態２に係る室外機を示す側面図であり、側面カバーを取り外して示す。
【図１２】実施の形態２に係る室外機を示す側面図であり、側面カバーを固定して示す。
【図１３】実施の形態３に係る側面カバーを示す斜視図である。
【図１４】図１３の一部を拡大して示す説明図である。
【図１５】実施の形態３に係る側面カバーの開口形成部を切断して電気配線用開口を形成した状態を示す斜視図である。
【図１６】実施の形態３に係る開口形成部の別の構成例を示す説明図である。
【図１７】実施の形態３に係る開口形成部のさらに別の構成例を示す説明図である。
【発明を実施するための形態】
【００１５】
実施の形態１．
以下、この発明の実施の形態１に係る空気調和機の室外機について、図面を用いて説明する。
【００１６】
図１は、この発明の実施の形態１における空気調和機の室外機（以降、単に室外機と表記する）１００を示す分解斜視図である。図１に示すように、複数、例えば３つのパネル、ここでは前面パネル１、側面パネル２、天面パネル３及び底板２５とによって、室外機１００の略直方体形状の筐体が構成され、これらはいずれも板金製である。前面パネル１は水平断面が略Ｌ字状であり、筐体の前面を構成すると共に、側面パネル２の反対側の側面も構成する。また、筐体内の背面側には熱交換器７が配置される。側面パネル２の外側には側面カバー１７が固定される。
【００１７】
室外機１００は、筐体内部に送風機室４と機械室５とを有しており、各室は底板２５上に直立状に設置されている仕切り板６によって左右に分けられている。室外機１００を前面側から見て、左側に送風機室４が位置し、右側に機械室５が位置する。
【００１８】
送風機室４には、背面側に配置される熱交換器７と、この熱交換器７の前方にプロペラファンで構成される送風ファン８が設けられている。熱交換器７は水平断面が略Ｌ字状であり、送風機室４の側面及び背面に設けられる。
【００１９】
機械室５には、圧縮機９や冷媒配管１０が配置される。なお、電気電子部品で構成される電気品ユニット１１が、機械室５上部と送風機室４の一部に、仕切り板６上にまたがって設置されている。この電気品ユニット１１は室外機１００の各部品への電力供給や運転制御等を行う。
【００２０】
ここで、図１に示すように、この実施の形態の説明においては、前面パネル１の正面方向を前面側として、その反対方向を背面側とする。室外機１００はその背面を空気調和を行う建物の外壁に対向して設置され、室内機（図示せず）は室内の上方に設置される。
【００２１】
図２は実施の形態１に係る室外機１００を示す一部分解斜視図であり、図３は側面パネル２を示す斜視図である。室外機１００の一方の側面である機械室側の側面において、下部に設けられたバルブ１２は、内側で機械室５内の冷媒配管１０と接続されている。また、室外機１００の側面でバルブ１２よりも上方に設けられた端子台ユニット１４は、リード線を介して電気品ユニット１１に接続されている。筐体の側面を構成する側面パネル２には、図３に示すように、上部に開口１６ａ、下部に切り欠き１６ｂが形成される。図２に示すように、上部の開口１６ａは、端子台ユニット１４が見えている端子台ユニット用開口１６ａであり、下部の切り欠き１６ｂは、バルブ１２が突出しているバルブ用切り欠き１６ｂである。設置される前の室外機１００は、室内機側から延びる電気配線１５及び接続配管１３は接続されていないが、側面カバー１７は側面パネル２に着脱可能に固定されている。
【００２２】
図４は側面パネル２の端子台ユニット用開口１６ａの周辺を拡大して示す説明図である。端子台ユニット用開口１６ａから見えている端子台ユニット１４は、３つの端子２１を有する端子台２２が固定板２０に固定されて構成される。３つの端子２１は、電気品ユニット１１の電気配線の端子であり、２つが電源用の端子で、残り１つが信号用の端子となっている。ただし、端子の数は３つに限るものではなく、もっと多い場合もある。
【００２３】
室外機１００を据え付ける時に、室内機側から延びる３本の電気配線１５の先端が、端子台２２の端子２１のそれぞれに下方から挿入されて接続される。これにより、室内機からの電源及び信号が電気品ユニット１１に伝えることができる。
【００２４】
図５は室外機１００を示す側面図であり、側面カバー１７を取り外して示す。図５に示すように、室内機側から延びる２本の接続配管１３がバルブ用切り欠き１６ｂから突出している２つのバルブ１２のそれぞれに接続されることで、室内機（図示せず）と室外機１００とが接続配管１３で接続され冷媒回路が形成される。図５においては、端子台ユニット１４の図示を省略している。実際には端子台ユニット１４は、図４に示すように、固定板２０、端子２１、端子台２２で構成されている。
【００２５】
図６は、バルブ１２と端子台ユニット１４を覆う側面カバー１７を示す斜視図である。室外機１００の側面パネル２に取り付けられる側面カバー１７は、バルブ１２と端子台ユニット１４を覆うように、側面パネル２と向き合う側が開放された中空の形状であり、開放側の反対側に位置する側面と、前面と、背面との３面を有する。この３面を有する略直方体形状であるが、接続配管１３は電気配線１５よりも太いので、接続配管１３と接続するバルブ１２を覆う下部は上部よりも内側の空間を大きくとっている。即ち、下部は上部よりも外側に膨出している。
【００２６】
側面カバー１７の開放された側の周を縁１９と称し、側面カバー１７は側面パネル２に縁１９が接した状態で固定される。ここでは、一対のねじ固定部１７ａによって側面カバー１７が側面パネル２にねじ固定される。図６の斜視図では一方のねじ固定部１７ａのみ図示している。ただし、この側面カバー１７の固定方法はねじ固定でなくてもよく、爪固定や、他の方法でもよい。爪で仮固定してからねじ固定するものでもよい。
【００２７】
側面カバー１７の背面には、縁１９側となる一辺が開放されて、２つの開口２３、２４が形成されている。下部の開口２３は室内機側から延びる接続配管１３が通る接続配管用開口２３であり、上部の開口２４は室内機側から延びる電気配線１５が通る電気配線用開口２４である。電気配線用開口２４は接続配管用開口２３よりも上方、例えば５０ｍｍ程度上方に設けられている。また、角部は丸みを帯びた形状である。側面カバー１７が側面パネル２に固定されたとき、側面カバー１７の背面は、室外機１００の背面と同様、据え付ける建物の外壁に対向する。
【００２８】
据付作業者は、接続配管１３及び電気配線１５をそれぞれ、バルブ１２及び端子台ユニット１４に接続した後（図５に示す状態）、接続配管１３が接続配管用開口２３を通った状態、且つ、電気配線１５が電気配線用開口２４を通った状態となるように、側面カバー１７の縁１９を側面パネル２に当接させる。そして、側面カバー１７のねじ固定部１７ａで固定することで、側面カバー１７が側面パネル２に固定される。側面カバー１７が側面パネル２に固定されると、図７に示すように、端子台ユニット１４及びバルブ１２は側面カバー１７に覆われる。側面カバー１７によって、端子台ユニット１４とバルブ１２が、風雨にさらされたり、外的な衝撃が加えられたりすることから保護される。
【００２９】
室外機１００及び側面カバー１７の背面は、建物の壁に対向して据え付けられるので、背面に形成されている接続配管用開口２３と電気配線用開口２４は正面から見えにくくなっており、室外機１００の外観意匠性が損なわれない。
【００３０】
ここで、空気調和機の買い替えにあたって、室外機１００の高さが高くなる理由について説明する。
空気調和機の高効率化として、熱交換器７の伝熱面積を増加することが考えられる。熱交換器７の熱交換量Ｑは、熱透過率ｋ、伝熱面積Ａ、熱交換器の高温流体と低温流体との温度差ΔＴから、以下の関係がある。
Ｑ＝ｋ＊Ａ＊ΔＴ
上記の式で伝熱面積Ａが増加すると、同一の熱交換量Ｑを得るときの温度差ΔＴを小さくできる。このため、送風機８の入力等を減らすことができ、高効率化につながる。一方、屋外の室外機１００の設置場所の面積はむやみに大きくできない。例えば、マンションのベランダ等の限られたスペースの中で室外機１００を設置しなければならず、室外機１００の幅寸法、奥行き寸法を拡大して熱交換器を大きくすると据え付けができない状況となることも起こり得る。このため、室外機１００の底面積はほぼ同一とし、上方に大きくすることで熱交換器７の伝熱面積Ａを増加させようとして、室外機１００の高さが高くなることとなる。
【００３１】
従来の側面カバーは背面の下部に１つの開口だけが設けられ、接続配管１３及び電気配線１５が共にその下部の開口を通る構成であったが、この実施の形態では、電気配線１５が通る開口２４を、接続配管用開口２３とは別に、接続配管用開口２３よりも少なくとも上方に設けていることを特徴とする。このため、買い替えにあたって前記のように高効率化された室外機１００の高さが高くなって、室内機側から延びる電気配線１５を接続する端子台ユニット１４の位置が接続配管用開口２３から遠くなっても、今まで使っていた既設の電気配線１５が電気配線用開口２４を通るように取り回して端子台ユニット１４に接続することができる。
【００３２】
室内機側から延びる電気配線１５は、従来のように接続配管１３と共に接続配管用の開口を通す場合と比較すると、側面カバー１７の電気配線用開口２４と接続配管用開口２３の距離の約２倍程度短くてもよい。例えば、側面カバー１７の電気配線用開口２４を接続配管用開口２３の５０ｍｍ強上方に設けると、室内機側から延びる電気配線１５は、接続配管用開口２３を通って端子台ユニット１４に接続されるよりも、およそ１００ｍｍ短くてもよいことになる。
【００３３】
また、電気配線１５は端子２１の下方から挿入されて接続されるため、電気配線用開口２４は端子台ユニット１４の端子２１の位置よりも下方となる位置に設けるのがよい。側面カバー１７を側面パネル２に固定する際に、端子２１の下方から挿入された電気配線１５を、端子２１よりも下方に設けた電気配線用開口２４にスムーズに位置させることができる。
【００３４】
これらのことから、側面カバー１７の電気配線用開口２４は、接続配管用開口２３よりも上方で、且つ端子台ユニット１４の端子２１の位置よりも下方となる位置に設けるのが好ましい。
【００３５】
さらに、側面カバー１７の接続配管用開口２３と電気配線用開口２４とが共に同じ面、ここでは背面に形成されているので、側面カバー１７を側面パネル２に固定する作業も困難なくできる。また、今まで使用していた室内機側から延びる接続配管１３と電気配線１５が一緒になって建物の外壁を下方に伝っている（あるいは建物の壁内を通っている）場合には、側面カバー１７の電気配線用開口２４付近までそのままとし、電気配線用開口２４付近で接続配管１３と電気配線１５とを離して、それぞれバルブ１２と端子台ユニット１４に接続すればよい。このように、既設の電気配線１５を用いて比較的簡単に据付作業を行うことができる。また、電気配線用開口２４付近までは今までと同様、接続配管１３と電気配線１５とは一緒であり、外観的にも問題はない。
【００３６】
特に、接続配管用開口２３と電気配線用開口２４が形成されている面が、共に側面カバー１７の背面、即ち建物の外壁に対向する側に設けているので、室内機から延びる接続配管１３及び電気配線１５は、図８に示すように背面側から室外機１００内に接続される。このため、建物の外側、即ち室外機１００の前面側からは接続配管用開口２３と電気配線用開口２４が見えにくいので、室外機１００の外観意匠性が損なわれることはない。
【００３７】
また、側面カバー１７の接続配管用開口２３と電気配線用開口２４は、それぞれ側面カバー１７の縁１９に連続しており、一辺が開放されている。このため、側面カバー１７を側面パネル２に固定する作業において、接続配管１３を接続配管用開口２３の開放された一辺に位置させると共に、電気配線１５を電気配線用開口２４の開放された一辺に位置させればよく、側面カバー１７の固定作業が容易にできる。
【００３８】
なお、側面カバー１７は金属製でもよいし、樹脂製でもよい。樹脂製の場合、図９に示すように側面カバー１７の内側で、端子台ユニット１４を覆う金属製カバー１８を別途設けるとよい。金属製カバー１８を設けることで、短絡等の原因で電気品ユニット１１にて出火するようなことがあっても、その火が外部に延焼するのを防止できる。側面カバー１７を金属で形成した場合には、金属製カバー１８は設けなくてもよい。
【００３９】
また、側面カバー１７の電気配線用開口２４の大きさは、室内機側から延びる電気配線１５が通った状態で、雨水や小動物（電気品ユニット１１での短絡の原因となる）が侵入する隙間がない程度であるのが好ましい。接続配管用開口２３の大きさも同様であり、室内機側から延びる接続配管１３が通った状態で、接続配管１３によってほとんど塞がれた状態であるのが好ましい。
【００４０】
実施の形態２．
以下、この発明の実施の形態２における空気調和機の室外機２００について、図面を用いて説明する。空気調和機を据え付けるにあたって、接続配管１３及び電気配線１５を新しく設置する場合、もしくは既設の接続配管１３及び電気配線１５を利用する場合であっても電気配線１５の長さが充分足りる場合には、電気配線用開口２４を使う必要はない。即ち、室内機側から延びる電気配線１５と接続配管１３が、共に接続配管用開口２３を通って、それぞれ端子台ユニット１４とバルブ１２に接続されればよい。そのような場合、図６に示した側面カバー１７では、電気配線用開口２４が使われずに開いた状態になり、電気配線用開口２４から雨水や小動物（電気品ユニット１１での短絡の原因となる）が侵入する恐れがあるという問題点がある。
【００４１】
図１０は、実施の形態２に係る室外機２００の側面カバー３０を示す斜視図であり、電気配線用開口カバー３１を分解して示す。側面カバー３０は、図６で示した側面カバー１７と同様、接続配管１３が通る接続配管用開口２３と、接続配管用開口２３よりも上方、例えば５０ｍｍ上方に、電気配線１５が通る電気配線用開口２４を備えている。実施の形態１では側面カバー１７の電気配線用開口２４は常時開口している形状としたが、この実施の形態の側面カバー３０は、電気配線用開口２４を覆う電気配線用開口カバー３１を有する。室外機２００を据え付ける前は、電気配線用開口カバー３１が側面カバー３０に固定され、電気配線用開口２４は閉じられている。電気配線用開口カバー３１は側面カバー３０とは別部品であって、側面カバー３０に爪で固定するものでもよいし、側面カバー３０にネジで固定するものでもよい。電気配線用開口カバー３１は電気配線用開口２４を覆うものであればどのような構成でもよい。
【００４２】
接続配管１３と電気配線１５を新しく設置して室外機を据え付ける場合には、室内機側から延びる電気配線１５が室外機２００の端子台ユニット１４に届かなくなることはない。このため、従来通り、図１１に示すように電気配線１５を長くとって、接続配管１３と共に側面カバー３０の下部に設けられている接続配管用開口２３を通るようにする。ここで、端子台ユニット１４の構成は図４と同様である。図１２は電気配線用開口カバー３１が固定された側面カバー３０を側面パネル２に固定して示す側面図である。
【００４３】
このように電気配線１５の長さが足りる場合には、側面カバー３０を側面パネル２に固定する際、室内機側から延びる電気配線１５を接続配管１３と共に接続配管用開口２３を通った状態で固定すればよい。接続配管１３と電気配線１５を一緒に室外機側から建物の外壁面を下方に伝って（あるいは建物の壁の内部を通って）取り回し、背面側から側面カバー３０の内側に通った状態で据え付けるので、据付作業性がよく、外観の意匠性が損なわれることはない。
【００４４】
特に、電気配線用開口２４を使用しない時には、電気配線用開口２４は電気配線用開口カバー３１で覆われた状態であるので、電気配線用開口２４から雨水や小動物（電気品ユニット１１での短絡の原因となる）が側面カバー３０内に侵入するのを防ぐことができ、電気配線用開口２４が開いたままであるよりも信頼性の高い室外機２００となる。
【００４５】
一方、以前に使用していた室外機から据え付け替える場合であって、既設の電気配線１５及び接続配管１３があり、設置する室外機２００の高さが今まで使用していた室外機よりも高くなる場合には、接続配管用開口２３と端子台ユニット１４との距離が長くなって、既設の電気配線１５の長さが足りなくなる可能性がある。
【００４６】
既設の電気配線１５の長さが短い場合には、側面カバー３０に固定されている電気配線用開口カバー３１を取り外して、接続配管用開口２３の上方に電気配線用開口２４を形成し、既設の電気配線１５が電気配線用開口２４を通った状態で、側面カバー３０を側面パネル２に固定する。実施の形態１で述べたように、接続配管用開口２３よりも上方に電気配線用開口２４を設けたことで、室内機側から延びる電気配線１５が短くても端子台ユニット１４に接続することができる。このように、既設の電気配線１５がある場合には、その電気配線１５を有効に利用でき、据付作業性を向上できる。
【００４７】
以上のように、側面カバー３０の電気配線用開口２４を覆って固定される電気配線用開口カバー３１を設けることで、接続配管１３及び電気配線１５を新しく設置する場合、既設の接続配管１３及び電気配線１５を利用する場合であって電気配線１５の長さが充分足りる場合、既設の接続配管１３及び電気配線１５を利用する場合であって電気配線１５の長さが短い場合、のいずれの場合にも対応できる側面カバー３０が得られる。
【００４８】
実施の形態３．
以下、この発明の実施の形態３における空気調和機の室外機について説明する。実施の形態３に係る側面カバーは、室外機を据え付ける際、電気配線用開口２４を使用することになった時に電気配線用開口２４を形成し得る開口形成部３３を有する。図１３は実施の形態３に係る側面カバー３２を示す斜視図である。この側面カバー３２は、下部に接続配管用開口２３を備えており、さらに、接続配管用開口２３よりも上方の電気配線用開口２４が設けられる位置に開口形成部３３を備える。側面カバー３２を樹脂製とし、側面カバー３２と電気配線用の開口形成部３３は一体で成形される。
【００４９】
また、図１４は側面カバー３２の背面に設けられている開口形成部３３の周辺を拡大して示す説明図であり、図１５は開口形成部３３を切断して電気配線用開口２４を形成した状態の側面カバー３２を示す斜視図である。
【００５０】
電気配線用開口２４が設けられる位置に形成されている開口成形部３３は、四角形状であり、外周３３ａ、３３ｂ、３３ｃ、３３ｄを有する。この外周３３ａ、３３ｂ、３３ｃ、３３ｄの一部である外周３３ａは、側面カバー３２の側面パネル２と向き合う側の縁１９である。外周３３ａを除くＵ字状の外周３３ｂ、３３ｃ、３３ｄに沿って、側面カバー３２の他の部分よりも樹脂の厚みを薄くした薄肉部３４ａ、３４ｂ、３４ｃ（図１３では薄肉部３４）が形成されている。この薄肉部３４ａ、３４ｂ、３４ｃは、開口形成部３３の外周３３ｂ、３３ｃ、３３ｄに幅Ｗで形成されている。
【００５１】
接続配管１３と電気配線１５を新しく設置して室外機を据え付ける場合、もしくは既設の接続配管１３と電気配線１５を利用する場合であっても、電気配線１５の長さが充分足りる場合には、開口形成部３３はこのままとし、電気配線用開口２４を形成せずに閉じた状態のまま使用する。図１２の側面カバー３０と同様、室内側から延びる電気配線１５を接続配管１３と共に接続配管用開口２３を通った状態で取り回して、側面カバー３２を側面パネル２に固定する。
【００５２】
一方、既設の電気配線１５を使用する場合で、接続配管用開口２３を通った状態で取り回すと電気配線１５の長さが足りない場合には、接続配管用開口２３よりも上方に電気配線用開口２４を形成する。室外機を据え付ける際、電気配線用開口２４が必要となった時に、据付作業者が薄肉部３４ａ、３４ｂ、３４ｃを切断工具で切断すれば、開口形成部３３が切り取られて、図１５に示すように電気配線用開口２４が形成される。電気配線１５を電気配線用開口２４に通った状態で取り回すことで、電気配線１５の長さが短くても端子台ユニット１４に接続できる。このように、既設の電気配線１５を使用して据付作業性を向上できる。
【００５３】
ここでは、電気配線用開口２４を形成するときに切断するＵ字状の外周３３ｂ、３３ｃ、３３ｄを、側面カバー３２の他の部分よりも薄肉な薄肉部３４ａ、３４ｂ、３４ｃで成形しているので、据付作業者は縁１９から開口形成部３３の薄肉部３４ａ、３４ｂ、３４ｃを切断すれば、開口形成部３３を容易に切り取ることができ、電気配線用開口２４が形成される。
【００５４】
また、開口形成部３３の外周３３ｂ、３３ｃ、３３ｄを他の部分よりも薄肉にする代わりに、電気配線用開口２４となる部分、即ち開口形成部３３のすべてを、側面カバー３２の他の部分よりも薄肉にしてもよい。また、上下の薄肉部３４ａ、３４ｃを形成しておいて、その部分を切断し、開口形成部３３を切り取らない状態、即ち開口形成部３３の外周の一部（図１４で外周３３ｃ）がつながった状態であってもよい。開口形成部３３の一部が側面カバー３２につながっていても、つながった部分を外側に折り曲げることで電気配線用開口２４を形成することができる。
【００５５】
図１６は、別の構成例の側面カバー３５を示す説明図であり、この側面カバー３５は電気配線用開口２４が設けられる位置に開口形成部３８を有する。開口形成部３８の外周３８ａ、３８ｂ、３８ｃ、３８ｄは四角形状であり、一部の外周３８ａは、側面カバー３５の側面パネル２と向き合う側の縁１９である。外周３８ａを除くＵ字状の外周３８ｂ、３８ｃ、３８ｄに、側面カバー３５と接続される接続部３６と、側面カバー３５と接続されていない非接続部３７が、交互に複数形成されている。非接続部３７とは、側面カバー３５を厚さ方向に貫通する穴であり、複数の接続部３６と非接続部３７とでミシン目状になっている。
【００５６】
室外機を据え付ける際、電気配線用開口２４が必要となった時に、据付作業者が開口形成部３８の外周３８ｂ、３８ｃ、３８ｄに形成されているミシン目状の接続部３６を切断工具で切断する。接続部３６を切断することで、開口形成部３８が切り取られて、図１５に示す側面カバー３２と同様、電気配線用開口２４が形成される。電気配線用配線１５を電気配線用開口２４に通った状態で取り回すことで、電気配線１５の長さが短くても端子台ユニット１４に接続できる。
【００５７】
ここでは、電気配線用開口２４を形成するときに切断するＵ字状の外周３８ｂ、３８ｃ、３８ｄに、接続部３６と非接続部３７とでミシン目を形成しているので、据付作業者は側面カバー３５の縁１９から切断工具であるハサミを入れて接続部３６を切断すれば、開口形成部３８を容易に切り取ることができ、電気配線用開口２４が形成される。
【００５８】
また、開口形成部３８の外周３８ｂ、３８ｃ、３８ｄのすべてにミシン目を形成する代わりに、縁１９である外周３８ａを除く外周３８ｂ、３８ｃ、３８ｄのうちの一部分、例えば外周３８ｂ、３８ｄにミシン目を形成しておき、その部分を切断して開口形成部３８を切り取らない状態、即ち開口形成部３８の一部の外周３８ｃがつながった状態で電気配線用開口２４として使用してもよい。開口形成部３８の一部が側面カバー３５につながっていても、つながった部分を外側に折り曲げて電気配線用開口２４を形成することができる。
【００５９】
また、据え付ける時に切断が必要となる接続部３６を薄肉で成形しておけば、接続部３６の切断をさらに容易に行うことができる。
【００６０】
図１７は、さらに別の構成例の側面カバー３９を示す説明図であり、この側面カバー３９は電気配線用開口２４が設けられる位置に開口形成部４２を有する。開口形成部４２の外周４２ａ、４２ｂ、４２ｃ、４２ｄは四角形状であり、一部の外周４２ａは、側面カバー３９の側面パネル２と向き合う側の縁１９である。外周４２ａを除く外周４２ｂ、４２ｃ、４２ｄはＵ字状を成し、縁１９から離れた外周４２ｃに側面カバー３９と接続されていない非接続部４１が設けられている。縁に近い外周４２ｂ、４２ｄは、側面カバー３９と接続されている接続部４０ａ、４０ｂである。非接続部４１は、側面カバー３９を切り欠いて厚さ方向に貫通する切り欠き（スリット）であり、以降は切り欠き４１と称す。
【００６１】
切り欠き４１は、側面カバー３９の縁１９から離れた外周４２ｃで、且つ縁１９と平行な外周４２ｃを、細く、例えば１ｍｍ程度の幅（Ｗｓ）に、切り欠いて形成される。電気配線用開口２４が必要となった場合、据付作業者は、側面カバー３９の縁１９から切り欠き４１の両端に向かって、白抜き矢印Ａ，Ｂで示すように、２か所を切断すればよい。外周の切り欠き４１の上端に向かって、開口形成部４２の接続部４０ａを、横方向に矢印Ａから切断し、切り欠き４１の下端に向かって矢印Ｂから接続部４０ｂを切断すると、開口形成部４２が切り取られて、図１５と同様に電気配線用開口２４が形成される。あらかじめ開口形成部４２の外周４２ｂ、４２ｃ、４２ｄの一部に切り欠き４１を設けているので、縁１９と切り欠き４１との間の接続部４０ａ、４０ｂを切断すれば、電気配線用開口２４を容易に形成できる。 
【００６２】
さらに、側面カバー３９の縁１９から切り欠き４１の両端に向かって横方向に切断する２か所の接続部４０ａ、４０ｂを、薄肉で成形しておくと、さらに切断しやすい。また、接続部４０ａ、４０ｂをミシン目状にしておいても、さらに切断しやすくできる。
【００６３】
また、接続部４０ａ、４０ｂの２か所を切断する代わりにどちらか１か所を切断して開口形成部４２を切り取らない状態、即ち開口形成部３９の一部の外周４２ｂまたは外周４２ｄがつながった状態で電気配線用開口２４として使用してもよい。開口形成部４２の一部が側面カバー３９につながっていても、つながった部分を外側に折り曲げて電気配線用開口２４を形成することができる。
【００６４】
また、縁１９に平行な切り欠き４１に限るものではない。縁１９に対して斜めでもよく、また、曲線状の切り欠きとしてもよい。
【００６５】
図１４、図１６、図１７で示した側面カバー３２、３５、３９は、接続配管用開口２３の上方に、切断することで電気配線用開口２４を形成し得る開口形成部３３、３８、４２を備える。このため、電気配線用開口２４が必要でない場合には、電気配線用開口２４は開口形成部３３、３８、４２で覆われて閉じられており、雨水や小動物（電気品ユニット１１での短絡の原因となる）などが側面カバー３２、３５、３９内に侵入するのを防止できる。一方、既設の電気配線１５を用いる場合で電気配線１５が短い場合には、開口形成部３３、３８、４２を容易に切り取って電気配線用開口２４を開け、室内機側から延びる電気配線１５を電気配線用開口２４に通った状態で取り回すことができる。これにより、買い替えにあたって高効率化された室外機の高さが高くなり、室内機側から延びる電気配線１５を接続する端子台ユニット１４の位置が接続配管用開口２３から遠くなっても、今まで使っていた既設の電気配線１５を使用でき、据付作業性の優れた空気調和機の室外機が得られる。
【００６６】
ここで、開口成形部３３、３８、４２は、側面カバー３２、３５、３９が側面パネル２と接する縁１９を外周の一部３３ａ、３８ａ、４２ａとしている。開口形成部３３、３８、４２の縁１９を除く外周の形状、即ち開口形成部３３では外周３３ｂ、３３ｃ、３３ｄ、開口形成部３８では外周３８ｂ、３８ｃ、３８ｄ、開口形成部４２では外周４２ｂ、４２ｃ、４２ｄの形状は、Ｕ字状、Ｖ字状、半円状、円弧状など、どのような形状でもよい。電気配線用開口２４が形成された場合に、室内機側から延びる電気配線１５を電気配線用開口２４に通った状態で端子台ユニット１４に取り回すことができる形状と大きさであればよい。
【符号の説明】
【００６７】
１  前面パネル、２  側面パネル、３  天面パネル、４  送風機室、５  機械室、６  仕切り板、７  熱交換器、８  送風ファン、９  圧縮機、１０  冷媒配管、１１  電気品ユニット、１２  バルブ、１３  室内機側から延びる接続配管、１４  端子台ユニット、１５  室内機側から延びる電気配線、１６ａ  端子台ユニット用開口、１６ｂ  バルブ用切り欠き、１７  側面カバー、１７ａ  ねじ固定部、１８  金属製カバー、１９  側面カバーの縁、２０  固定板、２１  端子、２２  端子台、２３  接続配管用開口、２４  電気配線用開口、２５  底板、３０  側面カバー、３１  電気配線用開口カバー、３２  側面カバー、３３  開口形成部、３３ａ、３３ｂ、３３ｃ、３３ｄ  開口形成部の外周、３４、３４ａ、３４ｂ、３４ｃ  薄肉部、３５  側面カバー、３６  接続部、３７  非接続部、３８  開口形成部、３８ａ、３８ｂ、３８ｃ、３８ｄ  開口形成部の外周、３９  側面カバー、４０ａ、４０ｂ  接続部、４１  非接続部、４２  開口形成部、４２ａ、４２ｂ、４２ｃ、４２ｄ  開口形成部の外周、１００  室外機、２００  室外機。
【図１】
2016203542.tif 000003
【図２】
2016203542.tif 000004
【図３】
2016203542.tif 000005
【図４】
2016203542.tif 000006
【図５】
2016203542.tif 000007
【図６】
2016203542.tif 000008
【図７】
2016203542.tif 000009
【図８】
2016203542.tif 000010
【図９】
2016203542.tif 000011
【図１０】
2016203542.tif 000012
【図１１】
2016203542.tif 000013
【図１２】
2016203542.tif 000014
【図１３】
2016203542.tif 000015
【図１４】
2016203542.tif 000016
【図１５】
2016203542.tif 000017
【図１６】
2016203542.tif 000018
【図１７】
2016203542.tif 000019
【国際調査報告】
2016203542.tif 000020
2016203542.tif 000021
2016203542.tif 000022
2016203542.tif 000023